(57)【要約】【課題】シリンダ錠取付穴に対し、錠箱の回動入力部材が偏芯するシリンダ取付構造であっても、交換が可能となる偏芯錠を提供し、防犯性を向上させる。【解決手段】回動入力部材３５を有する錠箱３３の設けられた扉３１に取り付けられ、回動入力部材３５に対し回動出力部材３９が偏芯するシリンダ錠１１を備える偏芯錠１００であって、回動出力部材３９に外筒４７が同軸となったシリンダ本体と、シリンダ本体に同軸に外挿される第１ハウジング１３と、第１ハウジング１３の一端に連結され回動出力部材３９を内方に収容するとともに他端に回動入力部材３５と同軸の開口穴１５ａを有する第２ハウジング１５と、第２ハウジング１５に回動自在に内設され回動出力部材３９からの回動力を回動入力部材３５へ伝達する偏芯回動伝達機構１７とを設けた。【選択図】      図１
2007211413.tif 000002
【特許請求の範囲】
【請求項１】
回動入力部材を有する錠箱の設けられた扉に取り付けられ、前記回動入力部材に対し回動出力部材が偏芯するシリンダ錠を備える偏芯錠であって、
前記シリンダ錠に同軸に外挿される第１ハウジングと、
該第１ハウジングの一端に連結され前記回動出力部材を内方に収容するとともに他端に前記回動入力部材と同軸の開口穴を有する第２ハウジングと、
該第２ハウジングに回動自在に内設され前記回動出力部材からの回動力を前記回動入力部材へ伝達する偏芯回動伝達機構とを備え、
前記偏芯回動伝達機構が、
一端を前記回動出力部材に相対回転不能に接続する第１連結部材と、
他端を前記回動入力部材に相対回転不能に接続する第２連結部材とからなり、
該第１連結部材と、該第２連結部材とが、直径方向に形成された凹溝と凸条とを相互に嵌合し直径方向に相対移動可能かつ相対回転不能に連結されたことを特徴とする偏芯錠。
【請求項２】
内筒の前部が前記外筒から軸線方向に突出する前記シリンダ錠を前記第１ハウジングの内側に固定し、前記内筒の前端面に開口する鍵穴に合鍵を差し込むことで該内筒を前記外筒に対して回動可能とする請求項１記載の偏芯錠であって、
硬質鋼材からなり前記外筒から突出する前記内筒に内穴を外挿しかつ前記外筒の前端面を覆う円環板を、前記シリンダ錠と前記第１ハウジングとの間に回動自在に設けたことを特徴とする偏芯錠。
【請求項３】
前記第１ハウジングの先端に、硬質鋼材からなるピンを、半径方向に埋入したことを特徴とする請求項１又は請求項２記載の偏芯錠。
【発明の詳細な説明】
【技術分野】
【０００１】
本発明は、錠箱の回動入力部材と、シリンダ錠の回動出力部材とが偏芯して連結される偏芯錠に関する。
【背景技術】
【０００２】
シリンダ錠は、外筒の内側に、合鍵挿入孔を有した内筒を備え、例えば合鍵挿入方向に配設した複数のタンブラピンを、合鍵の挿入により、キー溝の深さに合わせて内筒・外筒直径方向の所定位置に移動することで、内筒・外筒の境界位置にシアーラインを一致させて内筒を回転可能にする。これにより、扉内に設けた錠箱内の施解錠機構へ、内筒後端に設けた回動出力部材から施解錠操作力を入力し、扉の木口からデッドボルトを進退させて扉の施解錠を可能にしている。
【０００３】
シリンダ錠は、錠箱に取り付けた固定筒の内側に相対回転不能に固定される。固定筒は、基端を錠箱に固定し、先端を扉面から表出、例えば突出させている。扉面から突出した固定筒の外周には、先端側を切除した円錐状の化粧リングを、先端部がシリンダ錠の先端側となるように外挿する。この化粧リングは、後端面を扉面に当接して、固定筒を挿入した扉面に開口する固定筒取付穴を覆っている。
【０００４】
一般的に、シリンダ錠は、内筒と外筒とが同軸に配置されている。したがって、このようにシリンダ錠では、合鍵の回動軸と、内筒の後端に設けられた回動出力部材とが同軸となる。また、シリンダ錠には、内筒と外筒との半径方向に亘って収容されるタンブラーピン等との収容スペースを大きく確保するため、内筒の中心軸と、外筒の中心軸を偏芯させた構造のものもある。したがって、この種のシリンダ錠では、外筒、すなわち、固定筒の中心と、内筒の後端に設けられた回動出力部材とが偏芯している。つまり、シリンダ錠の取付構造には、シリンダ錠取付穴に対し、錠箱の回動入力部材が同軸のものと、偏芯するものとがあった。
【発明の開示】
【発明が解決しようとする課題】
【０００５】
従来のシリンダ錠の構造は、扉面から突出する固定筒の内側にシリンダ錠を固定し、シリンダ錠の前端面を覆うようにして取り付けた化粧リングの中央開口穴から内筒の前端面のみを表出させて防犯性を高めている。しかしながら、その前端面の殆どが化粧リングの前面板等によって覆われているものの、その前面板の背面には、外筒の前端面や固定筒の前端面が存在しているため、円筒状の穴開工具であるホールソーを用い、特に外筒の前端面から円筒状の切り込みを入れれば、シリンダ錠機構の破壊若しくは内筒の抜き取り等による破壊的な不正解錠が可能となる問題を包含していた。また、このような破壊行為によれば、固定筒に対しても同じく前端面から円筒状の切り込みを入れることでシリンダ錠の抜き取り等による不正解錠が不可能ではなかった。
これに対し、外筒や固定筒の前端面に円筒状の切り込みを入れることによるシリンダ錠機構の破壊、或いは内筒やシリンダ錠全体を抜き取る等の破壊的な不正解錠を防止できる改良シリンダ錠の構造が提案された。
ところが、シリンダ錠の取付構造には、上記のように、シリンダ錠取付穴に対し、錠箱の回動入力部材が同軸のものと、偏芯するものとがある。
このため、防犯性を高めた改良シリンダ錠の回動出力部材が、シリンダ錠取付穴と同軸である場合には、回動出力部材がシリンダ錠取付穴に対し偏芯するシリンダ錠の取り付けられていたシリンダ錠取付穴には、回動出力部材と回動入力部材とが一致せず、防犯性の高い改良シリンダ錠への交換取付が行えない不具合があった。
【０００６】
本発明は上記状況に鑑みてなされたもので、シリンダ錠取付穴に対し、錠箱の回動入力部材が偏芯するシリンダ取付構造であっても、交換が可能となる偏芯錠を提供し、もって、防犯性の向上を図ることを目的とする。
【課題を解決するための手段】
【０００７】
次に、上記の課題を解決するための手段を、実施の形態に対応する図面を参照して説明する。
本発明の請求項１記載の偏芯錠は、回動入力部材３５を有する錠箱３３の設けられた扉３１に取り付けられ、前記回動入力部材３５に対し回動出力部材３９が偏芯するシリンダ錠１１を備える偏芯錠１００であって、
前記シリンダ錠１１に同軸に外挿される第１ハウジング１３と、
該第１ハウジング１３の一端に連結され前記回動出力部材３９を内方に収容するとともに他端に前記回動入力部材３５と同軸の開口穴１５ａを有する第２ハウジング１５と、
該第２ハウジング１５に回動自在に内設され前記回動出力部材３９からの回動力を前記回動入力部材３５へ伝達する偏芯回動伝達機構１７とを備え、
前記偏芯回動伝達機構１７が、
一端を前記回動出力部材３９に相対回転不能に接続する第１連結部材４１と、
他端を前記回動入力部材３５に相対回転不能に接続する第２連結部材４３とからなり、
該第１連結部材４１と、該第２連結部材４３とが、直径方向に形成された凹溝４１ｂと凸条４３ｂとを相互に嵌合し直径方向に相対移動可能かつ相対回転不能に連結されたことを特徴とする。
【０００８】
この偏芯錠では、シリンダ錠１１の施解錠操作によって回動される回動出力部材３９からの回動力が、偏芯回動伝達機構１７を介して、偏芯した錠箱３３の回動入力部材３５へ伝達される。つまり、錠箱３３の回動入力部材３５に対し、偏芯させてシリンダ錠１１を取り付けることが可能となる。これにより、扉３１に設けられた錠箱３３の回動入力部材３５に対して、穴中心が偏芯した扉３１の既存シリンダ錠取付穴３７を利用して、任意の新規なシリンダ錠１１、すなわち、シリンダ錠内部構造がより複雑化された防犯性の高いシリンダ錠や、使い勝手の向上したシリンダ錠、耐破壊性の向上したシリンダ錠などへ交換可能となる。
【０００９】
請求項２記載の偏芯錠は、内筒１９の前部が前記外筒４７から軸線方向に突出する前記シリンダ錠１１を前記第１ハウジング１３の内側に固定し、前記内筒１９の前端面に開口する鍵穴４９に合鍵を差し込むことで該内筒１９を前記外筒４７に対して回動可能とする請求項１記載の偏芯錠１００であって、
硬質鋼材からなり前記外筒４７から突出する前記内筒１９に内穴５１ａを外挿しかつ前記外筒４７の前端面を覆う円環板５１を、前記シリンダ錠１１と前記第１ハウジング１３との間に回動自在に設けたことを特徴とする。
【００１０】
この偏芯錠では、硬質鋼材からなる円環板５１が外筒４７の前端面を覆い、この円環板５１が回動自在に保持されるので、円筒状のホールソーを用いて外筒４７の前端面に円筒状の切り込みを入れようとしても、硬質鋼材からなる円環板５１がホールソーと共にとも回りし、ホールソーによる外筒前端面への切り込みが阻止される。これにより、外筒４７がホールソーの刃部によって切り込まれることによる錠機構の破壊若しくは内筒１９の抜き取り等の破壊的な不正解錠が防止される。
【００１１】
請求項３記載の偏芯錠は、前記第１ハウジング１３の先端に、硬質鋼材からなるピン５３を、半径方向に埋入したことを特徴とする。
【００１２】
この偏芯錠では、第１ハウジング１３の先端に、硬質鋼材からなるピン５３が半径方向に埋入されて介在することで、円筒状のホールソーを用いて第１ハウジング１３の前端面に円筒状の切り込みを入れようとしても、所定の切り込みを入れた時点でホールソーの刃部がピン５３に当たることになり、ピン５３がそれ以上のホールソーの切り込みを阻止し、これによっても第１ハウジング１３に円筒状の切り込みを入れてシリンダ錠１１を抜き取る等の破壊的な不正解錠が困難となる。
【発明の効果】
【００１３】
本発明に係る請求項１記載の偏芯錠によれば、第１ハウジングにシリンダ錠を収容し、第１ハウジングには回動入力部材と同軸の開口穴を有する第２ハウジングを連結し、この第２ハウジングには回動出力部材と回動入力部材とを接続する偏芯回動伝達機構を内設したので、シリンダ錠の施解錠操作によって回動される回動出力部材からの回動力を、偏芯回動伝達機構を介して、回動出力部材の回転中心に対して偏芯した錠箱の回動入力部材へ伝達することができる。つまり、錠箱の回動入力部材に対し、偏芯させてシリンダ錠を取り付けることができるようになる。この結果、錠箱の回動入力部材に対し、偏芯した位置でシリンダ錠取付穴の穿設された扉であっても、既存のシリンダ錠取付穴を利用して、防犯性の高いシリンダ錠を交換取り付けできるようになる。
【００１４】
請求項２記載の偏芯錠によれば、硬質鋼材からなり外筒から突出する内筒に内穴を外挿しかつ外筒の前端面を覆う円環板を、シリンダ錠と第１ハウジングとの間に回動自在に設けたので、偏芯錠の第１ハウジングに収容されるシリンダ錠のホールソーによる外筒の前端面の切り込みを阻止し、シリンダ錠の破壊的な不正解錠を防止することができる。
【００１５】
請求項３記載の偏芯錠によれば、第１ハウジングの先端に、硬質鋼材からなるピンを、半径方向に埋入したので、ホールソーによる切り込みを、ピンによって阻止することができ、第１ハウジングに円筒状の切り込みを入れてシリンダ錠を抜き取る等の破壊的な不正解錠を防止することができる。
【発明を実施するための最良の形態】
【００１６】
以下、本発明に係る偏芯錠の好適な実施の形態を図面を参照して詳細に説明する。
図１は本発明に係る偏芯錠の縦断面図、図２は図１に示した偏芯錠の分解図、図３は偏芯回動伝達機構の分解斜視図、図４は図１に示した偏芯錠を左方より視た正面図である。
本実施の形態による偏芯錠１００は、その主要な構成部材として、防犯性の高められた図１，図２に示す改良シリンダ錠（以下、単に「シリンダ錠」と言う。）１１と、このシリンダ錠１１を収容する固定筒である第１ハウジング１３と、第１ハウジング１３の後端側（図１の右側）に連結される第２ハウジング１５と、第２ハウジング１５に収容される偏芯回動伝達機構１７とを備えている。
【００１７】
第１ハウジング１３は、円筒状に形成され、前端側（図１の左側）に、シリンダ錠１１の内筒１９を突出させる表出穴２１が穿設される。第１ハウジング１３の前端部には、筒状の飾筒下板２３が外挿され、さらにその外周には、飾筒２５が外挿される。第１ハウジング１３の外周には化粧リング２７が外挿され、化粧リング２７は飾筒下板２３の後端との間に配設されたコイルバネ２９によって後端が扉３１の表面３１ａに押圧される。
【００１８】
扉３１内には錠箱３３が設けられ、錠箱３３には不図示の施解錠機構の入力部である回動入力部材３５が設けられている。この回動入力部材３５の回動中心軸は、扉３１に穿設されたシリンダ錠取付穴３７の中心軸と偏芯している。シリンダ錠１１は、回動入力部材３５を有する錠箱３３の設けられた扉３１に取り付けられる。
【００１９】
シリンダ錠１１は、第１ハウジング１３の内側に同軸に収容される。換言すれば、第１ハウジング１３は、シリンダ本体に同軸に外挿されている。したがって、第１ハウジング１３の中心軸と、シリンダ錠１１の回動出力部材（例えば、テールピース）３９とは同軸となっている。換言すれば、回動入力部材３５に対し、偏芯する回動出力部材３９を有したシリンダ錠１１が取り付けられることになる。
【００２０】
図３に示すように、偏芯回動伝達機構１７は、第１連結部材４１と、第２連結部材４３とからなる。第１連結部材４１の前端面には、シリンダ錠１１の内筒１９の後端に設けられた回動出力部材３９と相対回転不能に係合する溝状の切欠４１ａが形成される。また、第２連結部材４３の後端面には錠箱３３の回動入力部材３５に相対回転不能に係合する凸板４３ａが突設されている。
【００２１】
これら第１連結部材４１と第２連結部材４３との対向面には、凹溝４１ｂと、凸条４３ｂとが形成されている。本実施の形態では、第１連結部材４１に凹溝４１ｂが形成され、第２連結部材４３に凸条４３ｂが形成されるが、この逆であってもよい。第１連結部材４１と第２連結部材４３とは、この凹溝４１ｂと凸条４３ｂとを相互に嵌合させることで、直径方向である凹溝４１ｂと凸条４３ｂの長手方向に相対スライド移動可能かつ相対回転不能に連結される。
【００２２】
この偏芯回動伝達機構１７を収容した第２ハウジング１５は、図１に示すように、第１ハウジング１３の後端側外周に外挿され、外側から円周方向複数箇所（本実施の形態では３箇所）で貫通するノックピン４５により、第１ハウジング１３とシリンダ錠１１の外筒４７とが一体的に固定される。第２ハウジング１５の他端（後端）には回動入力部材３５と同軸の開口穴１５ａが穿設される。開口穴１５ａからは、第２連結部材４３の凸板４３ａが突出される。
【００２３】
図１に示すように、シリンダ錠１１は、内筒１９の前部が外筒４７から軸線方向に突出して第１ハウジング１３の内側に固定される。シリンダ錠１１は、内筒１９の前端面に開口する鍵穴４９に不図示の合鍵を差し込むことで、内筒１９を外筒４７に対して回動可能とする。そして、内筒１９の回動と共に回動出力部材３９が回動される。偏芯錠１００では、硬質鋼材からなり外筒４７から突出する内筒１９に内穴５１ａを外挿しかつ外筒４７の前端面を覆う円環板（スリップリング）５１が、シリンダ錠１１と第１ハウジング１３との間に回動自在に設けられている。
【００２４】
硬質鋼材からなるスリップリング５１が外筒４７の前端面を覆い、このスリップリング５１が回動自在に保持されるので、円筒状のホールソーを用いて外筒４７の前端面に円筒状の切り込みを入れようとしても、硬質鋼材からなるスリップリング５１がホールソーと共にとも回りし、ホールソーによる外筒前端面への切り込みが阻止される。これにより、外筒４７がホールソーの刃部によって切り込まれることによる錠機構の破壊若しくは内筒１９の抜き取り等の破壊的な不正解錠が防止される。
【００２５】
また、図１，図２，図４に示すように、第１ハウジング１３の先端には、硬質鋼材からなるピン５３が半径方向に埋入されている。本実施の形態では、鍵穴４９を挟んで直径方向に一対のピン５３、５３が埋入されている。このように、第１ハウジング１３の先端に、硬質鋼材からなるピン５３が半径方向に埋入されて介在することで、円筒状のホールソーを用いて第１ハウジング１３の前端面に円筒状の切り込みを入れようとしても、所定の切り込みを入れた時点でホールソーの刃部がピン５３に当たることになり、ピン５３がそれ以上のホールソーの切り込みを阻止し、これによっても第１ハウジング１３に円筒状の切り込みを入れてシリンダ錠１１を抜き取る等の破壊的な不正解錠が困難となる。
【００２６】
図５は図１に示した偏芯錠を固定する固定ビスの挿通状況を表す縦断面図、図６は扉穴側から偏芯錠の背面を視た背面図である。
この偏芯錠１００を組み立てるには、先ず、第１ハウジング１３に、ピン５３、５３、飾筒下板２３、飾筒２５を組み付ける。次いで、第１ハウジング１３に、スリップリング５１と、シリンダ錠１１とを組み込む。その後、第１ハウジング１３の外周に、コイルバネ２９と化粧リング２７とを外挿する。次いで、第１ハウジング１３に組み込んだシリンダ錠１１の回動出力部材３９に一致するように、第１連結部材４１を組み込み、次いで、第１連結部材４１の凹溝４１ｂに凸条４３ｂを合わせて第２連結部材４３を組み込む。最後に、第１ハウジング１３に第２ハウジング１５を嵌合させ、第２ハウジング１５の外周から挿入したノックピン４５で第２ハウジング１５、第１ハウジング１３、シリンダ錠１１とを一体的に固定する。
【００２７】
このようにして組み立てられた偏芯錠１００は、図５に示すように、第２ハウジング１５の後端部が、扉３１のシリンダ錠取付穴３７に挿入される。これにより、第２ハウジング１５の開口穴１５ａから突出した第２連結部材４３の凸板４３ａが、回動入力部材３５の溝部３５ａに嵌入する。これにより、シリンダ錠１１の回動出力部材３９は、偏芯回動伝達機構１７を介して錠箱３３の回動入力部材３５に連結されたこととなる。図６に示すように、扉３１の木口からは、シリンダ錠固定ピン５５が挿入され、シリンダ錠固定ピン５５は第２ハウジング１５の後端部に設けられた固定穴５７に嵌入することで、偏芯錠１００と錠箱３３とを離脱不能に固定する。また、扉３１の屋内側における例えばサムターン取付穴５９からは、錠箱３３を貫通して一対の固定ネジ６１、６１が挿入され、固定ネジ６１、６１は図６に示す第２ハウジング１５の両側部に設けられた固定ネジ穴６３、６３に螺合することで、さらに強固に錠箱３３と偏芯錠１００とを固定する。
【００２８】
図７は偏芯回動伝達機構の回動伝達時の状況を（ａ）（ｂ）（ｃ）に表した動作説明図である。
この偏芯錠１００では、図７（ａ）に示すように、シリンダ錠１１の回動出力部材３９が、錠箱３３の回動入力部材３５と偏芯しているが、図７（ｂ）に示すように、回動出力部材３９が回転されると、相対回転不能となった第１連結部材４１が図７（ｃ）に示す反時計回りに回転され、これに伴い、相対回転不能となった第２連結部材４３も反時計回りに回転される。
【００２９】
この際、回転軸の偏芯は、第１連結部材４１と第２連結部材４３とが相互に直径方向に相対移動することで吸収され、相互に偏芯位置にある回動出力部材３９からの回動力が回動入力部材３５へと伝達されることとなる。
【００３０】
したがって、この偏芯錠１００によれば、第１ハウジング１３にシリンダ錠１１を収容し、第１ハウジング１３には回動入力部材３５と同軸の開口穴１５ａを有する第２ハウジング１５を連結し、この第２ハウジング１５には回動出力部材３９と回動入力部材３５とを接続する偏芯回動伝達機構１７を内設したので、シリンダ錠１１の施解錠操作によって回動される回動出力部材３９からの回動力を、偏芯回動伝達機構１７を介して、偏芯した錠箱３３の回動入力部材３５へ伝達することができる。つまり、錠箱３３の回動入力部材３５に対し、偏芯させてシリンダ錠１１を取り付けることができるようになる。この結果、錠箱３３の回動入力部材３５に対し、偏芯した位置でシリンダ錠取付穴３７の穿設された扉３１であっても、既存のシリンダ錠取付穴３７を利用して、防犯性の高いシリンダ錠１１を交換取り付けできるようになる。また、上記したシリンダ錠固定ピン５５と固定ネジ６１、６１は、交換以前の既存のシリンダ錠を固定するための各部材であり、交換される新たなシリンダ錠１１を取り付けるためにも流用が可能となっている。
【図面の簡単な説明】
【００３１】
【図１】本発明に係る偏芯錠の縦断面図である。
【図２】図１に示した偏芯錠の分解図である。
【図３】偏芯回動伝達機構の分解斜視図である。
【図４】図１に示した偏芯錠を左方より視た正面図である。
【図５】図１に示した偏芯錠を固定する固定ビスの挿通状況を表す縦断面図である。
【図６】扉穴側から偏芯錠の背面を視た背面図である。
【図７】偏芯回動伝達機構の回動伝達時の状況を（ａ）（ｂ）（ｃ）に表した動作説明図である。
【符号の説明】
【００３２】
１１…シリンダ錠
１３…第１ハウジング
１５…第２ハウジング
１５ａ…開口穴
１７…偏芯回動伝達機構
１９…内筒
３１…扉
３３…錠箱
３５…回動入力部材
３９…回動出力部材
４１…第１連結部材
４１ｂ…凹溝
４３…第２連結部材
４３ｂ…凸条
４７…外筒
４９…鍵穴
５１…円環板（スリップリング）
５１ａ…内穴
５３…硬質鋼材からなるピン
１００…偏芯錠
【図１】
2007211413.tif 000003
【図２】
2007211413.tif 000004
【図３】
2007211413.tif 000005
【図４】
2007211413.tif 000006
【図５】
2007211413.tif 000007
【図６】
2007211413.tif 000008
【図７】
2007211413.tif 000009